(57)【特許請求の範囲】
【請求項１】
建物の躯体に壁パネルの上下端部をそれぞれ支持させる上部第一取付金具と下部第一取付金具をそれぞれ取り付け、前記上部第一取付金具と下部第二取付金具に壁パネルの上下端部の上部第二取付金具と下部第二取付金具を支持させて、前記壁パネルが前記建物の躯体に取り付けられている壁パネル取付構造において、前記上部第一取付金具および前記下部第一取付金は前記建物の躯体にボルト止めされた固定部と、当該固定部に突設され、前記壁パネルを載置するパネル載置部と、前記固定部に突設された立ち上がり部及び垂下部とから形成され、前記上部第二取付金具は前記壁パネルの内側部にボルト止めされた固定部と、当該固定部に突設され、前記上部第一取付金具の垂下部に係合された係合部とから、前記下部第二取付金具は前記壁パネルの内側部にボルト止めされた固定部と、当該固定部に突設され、前記下部第一取付金具の立ち上がり部に係合された係合部とからそれぞれ形成され、かつ前記上部第二取付金具の係合部は前記上部第一取付金具の垂下部を前後より挟み付けるように突設された複数の立ち上がり片から、前記下部第二取付金具の係合部は前記下部第一取付金具の立ち上がり部を前後より挟み付けるように突設された複数の垂下片からそれぞれ形成されてなることを特徴とする壁パネル取付構造。
【請求項２】
請求項第１項記載の壁パネル取付構造により、建物の躯体に壁パネルを取り付ける壁パネル取付方法において、前記建物の躯体に前記壁パネルの上下端部を支持させる上部第一取付金具と下部第一取付金具とをそれぞれ取り付け、次に、前記上部第一取付金具に前記上部第一取付金具の垂下部を前後より挟み付けるように上部第二取付金具の突設された複数の立ち上がり片を取り付けると共に、前記壁パネルの下端部に下部第二取付金具をそれぞれ取り付け、次に、前記壁パネルの下端部に取り付けられた前記下部第二取付金具の突設された複数の垂下片を前記下部第一取付金具の立ち上がり部を前後より挟み付けるように係合し、かつ前記壁パネルの上端部を前記上部第一取付金具に取り付けられた前記上部第二取付金具に添えると共に、ボルト止めしてなることを特徴とする壁パネル取付方法。
【請求項３】
請求項第１項記載の壁パネル取付構造により、建物の躯体に壁パネルを取り付ける壁パネル取付方法において、前記建物の躯体に前記壁パネルの上下端部を支持させる上部第一取付金具と下部第一取付金具とをそれぞれ取り付け、次に、前記下部第一取付金具に前記下部第一取付金具の立ち上がり部を前後より挟み付けるように下部第二取付金具の突設された複数の垂下片を取り付けると共に、前記壁パネルの上端部に上部第二取付金具をそれぞれ取り付け、次に、前記壁パネルの上端部に取り付けられた前記上部第二取付金具の突設された複数の立ち上がり片を前記上部第一取付金具の垂下部を前後より挟み付けるように係合し、かつ前記壁パネルの下端部を前記下部第一取付金具に取り付けられた前記下部第二取付金具に添えると共に、ボルト止めしてなることを特徴とする壁パネル取付方法。
【発明の詳細な説明】
【０００１】
【産業上の利用分野】
この発明は、ＰＣ板等からなる壁パネルを鉄骨材等からなる建物の躯体に取り付けるための壁パネル取付構造及び壁パネル取付方法に関する。
【０００２】
【従来の技術】
図５は、ＰＣ板からなる壁パネルを鉄骨材からなる建物の躯体に取り付ける、従来の壁パネル取付構造の一例を示し、図において、符号１は建物の鉄骨梁、２及び３はこの鉄骨梁１に取り付けられる上部壁パネル及び下部壁パネル、そして、符号４及び５はこの上下壁パネル２及び３を鉄骨梁１に固定するための取付金具である。
【０００３】
【発明が解決しようとする課題】
従来の壁パネルは、以上のような構成によって取り付けられているが、上下壁パネル２及び３は別々の取付金具によって鉄骨梁１に取り付けられているので、上下壁パネル２，３  の表面を面一することが難しく、上下壁パネル２，３  の突き合わせ部に段差が生ずる等して仕上げに支障を来す等の課題があった。また、取付金具が増え、取付金具の取り扱い及び管理が繁雑になり易い等の課題もあった。
【０００４】
この発明は、以上の課題を解決するためになされたもので、上下壁パネルを簡単に取り付けることができ、かつ、上下壁パネルの表面を面一な状態に取り付けることができ、しかも、取付金具の数を低減できるようにした壁パネル取付構造及び壁パネル取付方法を提供することを目的とする。
【０００５】
【課題を解決するための手段】
請求項１記載の壁パネル取付構造は、建物の躯体に壁パネルの上下端部をそれぞれ支持させる上部第一取付金具と下部第一取付金具をそれぞれ取り付け、前記上部第一取付金具と下部第二取付金具に壁パネルの上下端部の上部第二取付金具と下部第二取付金具を支持させて、前記壁パネルが前記建物の躯体に取り付けられている壁パネル取付構造において、前記上部第一取付金具および前記下部第一取付金は前記建物の躯体にボルト止めされた固定部と、当該固定部に突設され、前記壁パネルを載置するパネル載置部と、前記固定部に突設された立ち上がり部及び垂下部とから形成され、前記上部第二取付金具は前記壁パネルの内側部にボルト止めされた固定部と、当該固定部に突設され、前記上部第一取付金具の垂下部に係合された係合部とから、前記下部第二取付金具は前記壁パネルの内側部にボルト止めされた固定部と、当該固定部に突設され、前記下部第一取付金具の立ち上がり部に係合された係合部とからそれぞれ形成され、かつ前記上部第二取付金具の係合部は前記上部第一取付金具の垂下部を前後より挟み付けるように突設された複数の立ち上がり片から、前記下部第二取付金具の係合部は前記下部第一取付金具の立ち上がり部を前後より挟み付けるように突設された複数の垂下片からそれぞれ形成されてなることを特徴とするものである。
【０００６】
請求項２記載の壁パネル取付方法は、請求項第１項記載の壁パネル取付構造により、建物の躯体に壁パネルを取り付ける壁パネル取付方法において、前記建物の躯体に前記壁パネルの上下端部を支持させる上部第一取付金具と下部第一取付金具とをそれぞれ取り付け、次に、前記上部第一取付金具に前記上部第一取付金具の垂下部を前後より挟み付けるように上部第二取付金具の突設された複数の立ち上がり片を取り付けると共に、前記壁パネルの下端部に下部第二取付金具をそれぞれ取り付け、次に、前記壁パネルの下端部に取り付けられた前記下部第二取付金具の突設された複数の垂下片を前記下部第一取付金具の立ち上がり部を前後より挟み付けるように係合し、かつ前記壁パネルの上端部を前記上部第一取付金具に取り付けられた前記上部第二取付金具に添えると共に、ボルト止めしてなることを特徴とするものである。
【０００７】
請求項３記載の壁パネル取付方法は、請求項第１項記載の壁パネル取付構造により、建物の躯体に壁パネルを取り付ける壁パネル取付方法において、前記建物の躯体に前記壁パネルの上下端部を支持させる上部第一取付金具と下部第一取付金具とをそれぞれ取り付け、次に、前記下部第一取付金具に前記下部第一取付金具の立ち上がり部を前後より挟み付けるように下部第二取付金具の突設された複数の垂下片を取り付けると共に、前記壁パネルの上端部に上部第二取付金具をそれぞれ取り付け、次に、前記壁パネルの上端部に取り付けられた前記上部第二取付金具の突設された複数の立ち上がり片を前記上部第一取付金具の垂下部を前後より挟み付けるように係合し、かつ前記壁パネルの下端部を前記下部第一取付金具に取り付けられた前記下部第二取付金具に添えると共に、ボルト止めしてなることを特徴とするものである。
【０００８】
【実施例】
実施例１．
図１は、この発明に係る請求項第１項記載の壁パネル取付構造の一実施例を示し、図において、符号６は建物の躯体の一部である鉄骨梁、７はこの鉄骨梁６の上側に取り付けられた上部壁パネル、８は前記鉄骨梁６の下側に取り付けられた下部壁パネル、９は鉄骨梁６の下部フランジ６ａに取り付けられ、上部壁パネル７の下端部及び下部壁パネル８の上端部をそれぞれ支持する第一取付金具、１０はこの第一取付金具９を鉄骨梁６の下部フランジ６ａに固定している取付ボルトと取付ナット、１１は前記上部壁パネル７の下端部を第一取付金具９に支持させる第二取付金具、１２は前記下部壁パネル８の上端部を第一取付金具９に支持させる第二取付金具、そして、符号１３と１３ａ  は、前記第二取付金具１１を上部壁パネル７の下端部の内側部に、第二取付金具１２を下部壁パネル８の上端部の内側部にそれぞれ固定しているアンカーボルトと取付ナットである。
【０００９】
第一取付金具９は、鉄骨梁６の下部フランジ６ａに取付ボルトと取付ナット１０によって固定された固定部９ａと、この固定部９ａの先端部より外側に水平に突設され、上部壁パネル７の下端部が載置されたパネル載置部９ｂと、前記固定部９ａの先端部に、上下にそれぞれ垂直に突設された立ち上がり部９ｃ及び垂下部９ｄとを備えて鉄骨梁６の長手方向に連続する断面略十字形状に形成されている。この場合、立ち上がり部９ｃと垂下部９ｄは、上下壁パネル７，８  が添え付けられた際に、上下壁パネル７，８  の表面が面一になるように、同一鉛直面内に突設されている。
【００１０】
第二取付金具１１は上部壁パネル７の下端部の内側部に添え付けられ、アンカーボルト１３と固定ナット１３ａ  によって固定された固定部１１ａ  と、この固定部１１ａ  の下端部に突設され、前記第一取付金具９の立ち上がり部９ｃに係合された係合部１１ｂ  とを備えて形成されている。
【００１１】
また、第二取付金具１２は下部壁パネル８の上端部の内側部に添え付けられ、アンカーボルト１３と固定ナット１３ａ  によって固定された固定部１２ａ  と、この固定部１２ａ  の上端部に突設され、前記第一取付金具９の垂下部９ｄに係合された係合部１２ｂ  とを備えて形成されている。
【００１２】
図２に示す様に係合部１１ｂ  は、固定部１１ａ  の下端部より上部壁パネル７の内側面に沿って立ち上がり部９ｃを前後より挟み付けるように突設された複数枚の垂下片１１ｃ，１１ｃ  より形成されている。また、係合部１２ｂ  は、固定部１２ａ  の上端部より下部壁パネル８の内側面に沿って垂下部９ｄを前後より挟み付けるように突設された複数枚の立ち上がり片１２ｃ，１２ｃ  より形成されている。
【００１３】
なお、第二取付金具１１及び１２は、同種のものを天地引っ繰り返して使用されている。
【００１４】
また、上部壁パネル７の上端部は下部壁パネル８の上端部と全く同様の構成によって鉄骨梁１に固定され、上部壁パネル８の下端部は下部壁パネル７の下端部と全く同様の構成によって鉄骨梁１に固定されている。
【００１５】
実施例２．
図３は、この発明に係る請求項第２項記載の壁パネル取付方法の一実施例を示し、図において、符号１４及び１５は建物の躯体の一部である上下階の鉄骨梁、１６は前記上下鉄骨梁１４と１５間に取り付けられる壁パネル、１７はこの壁パネル１６の上下両側部にそれぞれ取り付けられた壁パネル、１８及び１９は、壁パネル１６及び１７の上下両端部を上下鉄骨梁１４と１５とにそれぞれ支持させる上部第一取付金具及び下部第一取付金具、そして、符号２０と２１は壁パネル１６の上端部と壁パネル１７の下端部を上部第一取付金具１８と下部第一取付金具１９にそれぞれ支持させる上部第二取付金具と下部第二取付金具である。
【００１６】
上部第一取付金具１８及び下部第一取付金具１９には第一取付金具９と全く同じものが使用され、上部第二取付金具２０及び下部第二取付金具２１には第二取付金具１１と全く同じものが使用されている。
【００１７】
▲１▼  まず、上下鉄骨梁１４及び１５の下部フランジ１４ａ，１５ｂ  に上部第一取付金具１８と下部第一取付金具１９をそれぞれ取り付ける。
【００１８】
▲２▼  次に、壁パネル１６の下端部の内側部に、下部第二取付金具２１を取り付け、また、壁パネル１６の上端部の内側部に、アンカーボルト１３を取り付け、さらに、上部第一取付金具１８に上部第二取付金具２０を取り付ける。
【００１９】
この場合、下部第二取付金具２１及びアンカーボルト１３は壁パネル１６を吊り込む前に、地上においてあらかじめ取り付けておく。
【００２０】
また、アンカーボルト１３は、壁パネル１６の製作時にコンクリート中に埋設されたインサートナット（図省略）に螺合する等して取り付けるが、壁パネル１６の製作時にコンクリート中に埋設しておいてもよい。
【００２１】
▲３▼    次に、壁パネル１６をクレーン等で吊って上下鉄骨梁１４と１５間に吊り込む。そして、壁パネル１６の下端部を鉄骨梁１５に取り付けられた下部第一取付金具１９のパネル載置部１９ｂ  の上に載置すると共に、下部第二取付金具２１の係合部２１ｂ  を下部第一取付金具１９の立ち上がり部１９ｃ  に係合する。
【００２２】
▲４▼    次に、壁パネル１６を鉛直に建て付け、その上端部を鉄骨梁１４に取り付けられた上部第二取付金具２０に添え付けると共に、固定部２０ａ  のボルト孔（図省略）に取アンカーボルト１３を貫通させ、かつ、その貫通部分に固定ナット１３ａ  を螺合して壁パネル１６の上端部を固定する。
【００２３】
実施例３．
図４は、この発明に係る請求項第３項記載の壁パネル取付方法の一実施例を示し、図において、実施例２と同一部分及び相当する部分には同一符号を付し、その説明を省略する。
【００２４】
▲１▼  まず、上下鉄骨梁１４及び１５の上部フランジ１４ｂ，１５ｂ  に上部第一取付金具１８と下部第一取付金具１９をそれぞれ取り付ける。
【００２５】
▲２▼  次に、壁パネル１６の上端部の内側部に、上部第二取付金具２０を取り付け、また、壁パネル１６の下端部の内側部に、アンカーボルト１３を取り付け、さらに、下部第一取付金具１９に下部第二取付金具２１を取り付ける。
【００２６】
この場合、上部第二取付金具２０及びアンカーボルト１３の取付方法は実施例２の場合と全く同じである。
【００２７】
▲３▼    次に、壁パネル１６をクレーン等で吊って上下鉄骨梁１４と１５間に吊り込む。そして、壁パネル１６の上端部に取り付けられた上部第二取付金具２０の係合部２０ｂ  を鉄骨梁１４に取り付けられた上部第一取付金具１８の垂下部１８ｄ  に係合する。
【００２８】
▲４▼    次に、壁パネル１６を鉛直に建て付け、その下端部を鉄骨梁１５に取り付けられた下部第一取付金具１９のパネル載置部１９ｂ  の上に載せると共に、下部第二取付金具２１に添え付け、かつ、固定部２１ａ  のボルト孔にアンカーボルト１３を貫通させ、その貫通部分に固定ナット１３ａ  を螺合して壁パネル１６の下端部を固定する。
【００２９】
なお、図からも明らかなように、実施例２に示す壁パネル取付方法は、壁パネルの上下両端部を梁下に支持させる場合を示し、この実施例によれば、取付金具が梁の外側に露出しているので、取付金具の連結状態を視覚で確認しながら壁パネルを取り付けることができる効果がある。
【００３０】
また、実施例３に示す壁パネル取付方法は、壁パネルの上下両端部を梁上に支持させる場合を示し、この実施例によれば、取付金具が梁の裏側に隠れしまうので、取付金具を隠すための工事を省略できる効果がある。
【００３１】
【発明の効果】
以上説明したように、この発明に係る請求項第１項記載の壁パネル取付構造は上下壁パネルの端部が共通の第一取付金具を介して建物の躯体に固定されているので、上下壁パネルの表面を面一にすることができると共に、取付金具の数を減らし、壁パネルを簡単に取り付けることがてきる効果がある。
【００３２】
また、第一取付金具及び第二取付金具は、いずれも簡単な形状をしているので、簡単に製作でき、量産を図れる効果がある。
【００３３】
また、この発明に係る請求項第２項及び第３項記載の壁パネル取付方法によれば、壁パネルをいわゆるけんどん式によって容易に取り付けることができ、かつ、上下壁パネルを、順序関係無く取り付けることができる効果がある。
【図面の簡単な説明】
【図１】この発明に係る請求項第１項記載の壁パネル取付構造の一実施例を示す縦断面図である。
【図２】第二取付金具の斜視図である。
【図３】この発明に係る請求項第２項記載の壁パネル取付方法の一実施例を示す縦断面図である。
【図４】この発明に係る請求項第３項記載の壁パネル取付方法の一実施例を示す縦断面図である。
【図５】従来の壁パネル取付構造の一例を示す縦断面図である。
【符号の説明】
１…鉄骨梁、２…上部壁パネル、３…下部壁パネル、４，５  …取付金具、
６…鉄骨梁、７…上部壁パネル、８…下部壁パネル、９…第一取付金具、
１０…取付ボルト、１１…第二取付金具、１２…第二取付金具、１３…アンカーボルト、
１３ａ  …取付ナット、１４…上部鉄骨梁、１５…下部鉄骨梁、１６…壁パネル、
１７…壁パネル、１８…上部第一取付金具、１９…下部第一取付金具、
２０…上部第二取付金具、２１…下部第二取付金具。
【図１】
0003585251.tif 000002
【図２】
0003585251.tif 000003
【図３】
0003585251.tif 000004
【図４】
0003585251.tif 000005
【図５】
0003585251.tif 000006